【手続補正書】
【提出日】平成18年3月7日(2006.3.7)
【手続補正１】
【補正対象書類名】明細書
【補正対象項目名】特許請求の範囲
【補正方法】変更
【補正の内容】
【特許請求の範囲】
【請求項１】  ネットワークを介して他の情報処理装置と接続されるとともに、所定の機能を実行する１以上の機能ブロックを有する情報処理装置において、
前記機能ブロックの予約に関する予約情報を入力する入力手段と、
前記機能ブロックの予約に関する前記予約情報を記憶する記憶手段と、
前記他の情報処理装置から要求があった場合、前記記憶手段に記憶されている前記予約情報を読み出して、前記他の情報処理装置に供給する供給手段と
を備えることを特徴とする情報処理装置。
【請求項２】  自己の前記機能ブロックと、前記他の情報処理装置の機能ブロックの両方を同時刻に関連して使用するために予約する場合、自己の前記機能ブロックの前記予約情報を前記記憶手段に書き込むとともに、前記他の情報処理装置の機能ブロックの予約情報を、前記他の情報処理装置の前記記憶手段に書き込む書き込み手段を
さらに備えることを特徴とする請求項１に記載の情報処理装置。
【請求項３】  自己の前記記憶手段に記憶されている前記予約情報と、関連して同時刻に使用される前記機能ブロックを有する前記他の情報処理装置の前記記憶手段に記憶されている前記予約情報を、前記入力手段より入力された前記予約情報と比較する比較手段をさらに備え、
前記書き込み手段は、前記比較手段の比較結果に対応して、前記予約情報の書き込みを行う
ことを特徴とする請求項２に記載の情報処理装置。
【請求項４】  前記書き込み手段は、自己の前記記憶手段に書き込みを行う場合、前記他の情報処理装置からの前記予約情報の自己の前記記憶手段への書き込みを制限する
ことを特徴とする請求項２に記載の情報処理装置。
【請求項５】  前記書き込み手段は、自己の前記記憶手段に書き込みを行う場合、前記他の情報処理装置からの前記予約情報の自己の前記記憶手段からの読み出しが行われているとき、その読み出しを中止させる
ことを特徴とする請求項４に記載の情報処理装置。
【請求項６】  前記記憶手段は、そこに記憶される前記予約情報の制限に関する制限情報も記憶し、
前記供給手段は、前記他の情報処理装置から要求があった場合、前記制限情報も前記他の情報処理装置に供給する
ことを特徴とする請求項１に記載の情報処理装置。
【請求項７】  前記記憶手段は、予め定められた特定のアドレス位置に、前記予約情報を記憶する
ことを特徴とする請求項１に記載の情報処理装置。
【請求項８】  前記予約情報は、前記機能ブロックの使用を開始する開始時刻と、前記機能ブロックを使用する使用時間を含む
ことを特徴とする請求項１に記載の情報処理装置。
【請求項９】  前記使用時間は、不定として設定可能である
ことを特徴とする請求項８に記載の情報処理装置。
【請求項１０】  前記予約情報は、前記機能ブロックを予約する情報処理装置に関する装置情報を含み、前記装置情報は、前記開始時刻および使用時間より後のアドレス位置に記憶される
ことを特徴とする請求項８に記載の情報処理装置。
【請求項１１】  前記開始時刻は、BCDで表される
ことを特徴とする請求項８に記載の情報処理装置。
【請求項１２】  前記記憶手段は、記憶された前記予約情報を識別する識別情報をさらに記憶する
ことを特徴とする請求項１に記載の情報処理装置。
【請求項１３】  前記識別情報は、前記機能ブロックを予約した情報処理装置に固有な値と、前記情報処理装置内で設定された前記予約に固有な値とを含む
ことを特徴とする請求項１２に記載の情報処理装置。
【請求項１４】  前記機能ブロックを予約した情報処理装置に固有な値は、グローバルユニークIDであり、前記情報処理装置内で設定された予約に固有な値は、レコードIDである
ことを特徴とする請求項１３に記載の情報処理装置。
【請求項１５】  前記予約情報は、前記機能ブロックを、曜日を指定して毎週繰り返し予約する週間予約情報を含む
ことを特徴とする請求項１に記載の情報処理装置。
【請求項１６】  前記予約情報は、前記機能ブロックを、所定の間隔で繰り返し予約する間隔予約情報を含む
ことを特徴とする請求項１に記載の情報処理装置。
【請求項１７】  前記記憶手段は、前記機能ブロックの１つである
ことを特徴とする請求項１に記載の情報処理装置。
【請求項１８】  前記ネットワークは、IEEE1394シリアルデータバスを用いて構成される
ことを特徴とする請求項１に記載の情報処理装置。
【請求項１９】  ネットワークを介して他の情報処理装置と接続されるとともに、所定の機能を実行する１以上の機能ブロックを有する情報処理装置の情報処理方法において、
前記機能ブロックの予約に関する予約情報を入力する入力ステップと、
前記機能ブロックの予約に関する前記予約情報の記憶を制御する記憶制御ステップと、
前記他の情報処理装置から要求があった場合、前記記憶ステップの処理により記憶された前記予約情報を読み出して、前記他の情報処理装置に供給する供給ステップと
を含むことを特徴とする情報処理方法。
【請求項２０】  ネットワークを介して他の情報処理装置と接続されるとともに、所定の機能を実行する１以上の機能ブロックを有する情報処理装置を制御するプログラムにおいて、
前記機能ブロックの予約に関する予約情報を入力する入力ステップと、
前記機能ブロックの予約に関する前記予約情報の記憶を制御する記憶制御ステップと、
前記他の情報処理装置から要求があった場合、前記記憶制御ステップの処理により記憶された前記予約情報を読み出して、前記他の情報処理装置に供給する供給ステップと
を含むことを特徴とするコンピュータが実行可能なプログラムが記録されている記録媒体。
【手続補正２】
【補正対象書類名】明細書
【補正対象項目名】００１１
【補正方法】変更
【補正の内容】
【００１１】
【課題を解決するための手段】
請求項１に記載の情報処理装置は、機能ブロックの予約に関する予約情報を入力する入力手段と、機能ブロックの予約に関する予約情報を記憶する記憶手段と、他の情報処理装置から要求があった場合、記憶手段に記憶されている予約情報を読み出して、他の情報処理装置に供給する供給手段とを備えることを特徴とする。
【手続補正３】
【補正対象書類名】明細書
【補正対象項目名】００１２
【補正方法】変更
【補正の内容】
【００１２】
自己の機能ブロックと、他の情報処理装置の機能ブロックの両方を同時刻に関連して使用するために予約する場合、自己の機能ブロックの予約情報を記憶手段に書き込むとともに、他の情報処理装置の機能ブロックの予約情報を、他の情報処理装置の記憶手段に書き込む書き込み手段をさらに設けることができる。
【手続補正４】
【補正対象書類名】明細書
【補正対象項目名】００１３
【補正方法】変更
【補正の内容】
【００１３】
自己の記憶手段に記憶されている予約情報と、関連して同時刻に使用される機能ブロックを有する他の情報処理装置の記憶手段に記憶されている予約情報を、入力手段より入力された予約情報と比較する比較手段をさらに設け、書き込み手段に、比較手段の比較結果に対応して、予約情報の書き込みを行わせるようにすることができる。
【手続補正５】
【補正対象書類名】明細書
【補正対象項目名】００１８
【補正方法】変更
【補正の内容】
【００１８】
前記予約情報には、機能ブロックの使用を開始する開始時刻と、機能ブロックを使用する使用時間を含ませるようにすることができる。
【手続補正６】
【補正対象書類名】明細書
【補正対象項目名】００２０
【補正方法】変更
【補正の内容】
【００２０】
前記予約情報には、機能ブロックを予約する情報処理装置に関する装置情報を含ませ、装置情報は、開始時刻および使用時間より後のアドレス位置に記憶させるようにすることができる。
【手続補正７】
【補正対象書類名】明細書
【補正対象項目名】００２３
【補正方法】変更
【補正の内容】
【００２３】
前記識別情報には、機能ブロックを予約した情報処理装置に固有な値と、情報処理装置内で設定された予約に固有な値とを含ませるようにすることができる。
【手続補正８】
【補正対象書類名】明細書
【補正対象項目名】００２４
【補正方法】変更
【補正の内容】
【００２４】
前記機能ブロックを予約した情報処理装置に固有な値は、グローバルユニークIDとして、情報処理装置内で設定された予約に固有な値は、レコードIDとすることができる。
【手続補正９】
【補正対象書類名】明細書
【補正対象項目名】００２５
【補正方法】変更
【補正の内容】
【００２５】
前記予約情報には、機能ブロックを、曜日を指定して毎週繰り返し予約する週間予約情報を含ませるようにすることができる。
【手続補正１０】
【補正対象書類名】明細書
【補正対象項目名】００２６
【補正方法】変更
【補正の内容】
【００２６】
前記予約情報には、機能ブロックを、所定の間隔で繰り返し予約する間隔予約情報を含ませるようにすることができる。
【手続補正１１】
【補正対象書類名】明細書
【補正対象項目名】００２７
【補正方法】変更
【補正の内容】
【００２７】
前記記憶手段は、機能ブロックの１つであるようにすることができる。
【手続補正１２】
【補正対象書類名】明細書
【補正対象項目名】００２９
【補正方法】変更
【補正の内容】
【００２９】
請求項１９に記載の情報処理方法は、機能ブロックの予約に関する予約情報を入力する入力ステップと、機能ブロックの予約に関する予約情報の記憶を制御する記憶制御ステップと、他の情報処理装置から要求があった場合、記憶ステップの処理により記憶された予約情報を読み出して、他の情報処理装置に供給する供給ステップと を含むことを特徴とする。
【手続補正１３】
【補正対象書類名】明細書
【補正対象項目名】００３０
【補正方法】変更
【補正の内容】
【００３０】
請求項２０に記載の記録媒体のプログラムは、機能ブロックの予約に関する予約情報を入力する入力ステップと、機能ブロックの予約に関する予約情報の記憶を制御する記憶制御ステップと、他の情報処理装置から要求があった場合、記憶制御ステップの処理により記憶された予約情報を読み出して、他の情報処理装置に供給する供給ステップとを含むことを特徴とする。
【手続補正１４】
【補正対象書類名】明細書
【補正対象項目名】００３１
【補正方法】変更
【補正の内容】
【００３１】
請求項１に記載の情報処理装置、請求項１９に記載の情報処理方法、および請求項２０に記載の記録媒体においては、機能ブロックの予約に関する予約情報が記憶されるとともに、記憶された予約情報は、他の情報処理装置から要求があった場合、他の情報処理装置に供給される。
【手続補正１５】
【補正対象書類名】明細書
【補正対象項目名】００３４
【補正方法】変更
【補正の内容】
【００３４】
なお、バス２に接続されているIRD１およびDVCR３のような電子機器は、ユニットと呼ばれており、ユニット間においては、AV/C Command Transaction SetのAV/C Digital Interface Command Set General Specification（以下、AV/C Generalと記述する）で規定されているディスクリプタ(Descriptor)を用いて、各ユニットに記憶されている情報を相互に読み書きすることが可能である。AV/C Generalの詳細については、http://www.1394ta.org/Technology/Specifications/を参照のこと。また、ユニットが有する機能はサブユニットと呼ばれている。
【手続補正１６】
【補正対象書類名】明細書
【補正対象項目名】０１３３
【補正方法】変更
【補正の内容】
【０１３３】
【発明の効果】
以上のように、請求項１に記載の情報処理装置、請求項１９に記載の情報処理方法、および請求項２０に記載の記録媒体によれば、機能ブロックの予約に関する予約情報を記憶するとともに、他の情報装置から要求があった場合、記憶された予約情報を読み出して、他の情報処理装置に供給するようにしたので、ダブルブッキングの発生を抑止することが可能となる。